(57)【特許請求の範囲】
【請求項１】
表示された複数の画像の中から、使用者により選択された処理予定の画像に対して処理予定識別子を、処理が完了した画像に対して処理完了識別子を設定する識別子設定手順と、
前記処理予定識別子が設定された画像、前記処理完了識別子が設定された画像の順に表示優先順位を高く設定する表示優先順位設定手順と、
前記表示優先順位設定手順で設定された前記表示優先順位に基づいて、前記複数の画像のうち前記処理予定識別子が設定された画像、前記処理完了識別子が設定された画像、前記処理予定識別子および前記処理完了識別子が設定されていない画像の順に画面上に一覧表示する画像表示手順と、
前記画像に対する処理を実行するために用いる処理パラメータの入力を受け付けるための入力用インターフェースを、前記各画像に対応付けて前記画面上に表示する入力用インターフェース表示手順と、
前記入力用インターフェースへの前記処理パラメータの入力を受け付ける入力受付手順と、
前記入力受付手順で受付けた前記処理パラメータに基づいて、前記各画像に対して前記処理予定識別子に対応する処理を実行する処理実行手順とをコンピュータに実行させるための画像表示プログラムであり、
前記識別子設定手順は、前記処理が完了した画像に対して前記処理予定識別子に替えて処理完了識別子を設定することを特徴とする画像表示プログラム。
【請求項２】
請求項１に記載の画像表示プログラムにおいて、
前記識別子設定手順は、使用者によって選択された印刷対象の画像に対して、前記処理予定識別子を設定し、
前記処理予定識別子に対応する処理は、前記印刷対象の画像のデータをプリンタへ出力して印刷を行う印刷処理であることを特徴とする画像表示プログラム。
【請求項３】
請求項２に記載の画像表示プログラムにおいて、
前記識別子設定手順は、前記印刷処理が完了した画像に対して、前記印刷処理が完了した日時を加味した前記処理完了識別子を設定することを特徴とする画像表示プログラム。
【請求項４】
請求項１に記載の画像表示プログラムにおいて、
前記識別子設定手順は、使用者によって選択された転送対象の画像に対して、前記処理予定識別子を設定し、
前記処理予定識別子に対応する処理は、前記転送対象の画像をサーバへ転送を行う転送処理であることを特徴とする画像表示プログラム。
【請求項５】
請求項１〜４のいずれか一項に記載の画像表示プログラムにおいて、
前記識別子設定手順によって画像に対して設定された前記処理予定識別子のデータを不揮発性の記憶媒体に記録する識別子記録手順と、
前記不揮発性の記憶媒体に記録されている前記処理予定識別子のデータを、前記不揮発性の記憶媒体から読み出す識別子読み出し手順とをさらに有することを特徴とする画像表示プログラム。
【請求項６】
表示された複数の画像の中から、使用者により選択された処理予定の画像に対して処理予定識別子を、処理が完了した画像に対して処理完了識別子を設定し、
前記処理予定識別子が設定された画像、前記処理完了識別子が設定された画像の順に表示優先順位を高く設定し、
前記設定された表示優先順位に基づいて、前記複数の画像のうち前記処理予定識別子が設定された画像、前記処理完了識別子が設定された画像、前記処理予定識別子および前記処理完了識別子が設定されていない画像の順に画面上に一覧表示し、
前記画像に対する処理を実行するために用いる処理パラメータの入力を受け付けるための入力用インターフェースを、前記各画像に対応付けて前記画面上に表示し、
前記入力用インターフェースへの前記処理パラメータの入力を受け付け、
前記入力受付手順で受付けた前記処理パラメータに基づいて、前記各画像に対して前記処理予定識別子に対応する処理を実行し、
前記処理が完了した画像に対して前記処理予定識別子に替えて処理完了識別子を設定することを特徴とする画像表示方法。
【発明の詳細な説明】
【技術分野】
【０００１】
本発明は、画像を表示するための画像表示プログラム、および画像表示方法に関する。
【背景技術】
【０００２】
次のような印刷制御装置が知られている。この印刷制御装置は、複数のフォルダを対象として、各フォルダ内に記録されている画像の選択を受け付け、選択された画像を印刷する（例えば、特許文献１）。
【特許文献１】特開２００６−３５０９４３号公報
【発明の開示】
【発明が解決しようとする課題】
【０００３】
しかしながら、従来の印刷制御装置では、使用者は、印刷の対象とするフォルダを選択した後、そのフォルダ内に記録されている画像一覧の中から印刷したい画像を選択し、選択した画像ごとに印刷枚数などの処理パラメータを設定する必要がある。使用者が処理パラメータを変更する場合は、画像一覧から印刷対象となる画像を探し出さなくてはならず、その操作が煩雑であるという問題があった。
【課題を解決するための手段】
【０００４】
請求項１に記載の画像表示プログラムは、表示された複数の画像の中から、使用者により選択された処理予定の画像に対して処理予定識別子を、処理が完了した画像に対して処理完了識別子を設定する識別子設定手順と、処理予定識別子が設定された画像、処理完了識別子が設定された画像の順に表示優先順位を高く設定する表示優先順位設定手順と、表示優先順位設定手順で設定された表示優先順位に基づいて、複数の画像のうち処理予定識別子が設定された画像、処理完了識別子が設定された画像、処理予定識別子および処理完了識別子が設定されていない画像の順に画面上に一覧表示する画像表示手順と、画像に対する処理を実行するために用いる処理パラメータの入力を受け付けるための入力用インターフェースを、各画像に対応付けて画面上に表示する入力用インターフェース表示手順と、入力用インターフェースへの処理パラメータの入力を受け付ける入力受付手順と、入力受付手順で受付けた処理パラメータに基づいて、各画像に対して処理予定識別子に対応する処理を実行する処理実行手順とをコンピュータに実行させるための画像表示プログラムであり、識別子設定手順は、処理が完了した画像に対して処理予定識別子に替えて処理完了識別子を設定することを特徴とする。
請求項６に記載の画像表示方法は、表示された複数の画像の中から、使用者により選択された処理予定の画像に対して処理予定識別子を、処理が完了した画像に対して処理完了識別子を設定し、処理予定識別子が設定された画像、処理完了識別子が設定された画像の順に表示優先順位を高く設定し、設定された表示優先順位に基づいて、複数の画像のうち処理予定識別子が設定された画像、処理完了識別子が設定された画像、処理予定識別子および処理完了識別子が設定されていない画像の順に画面上に一覧表示し、画像に対する処理を実行するために用いる処理パラメータの入力を受け付けるための入力用インターフェースを、各画像に対応付けて画面上に表示し、入力用インターフェースへの処理パラメータの入力を受け付け、入力受付手順で受付けた処理パラメータに基づいて、各画像に対して処理予定識別子に対応する処理を実行し、処理が完了した画像に対して処理予定識別子に替えて処理完了識別子を設定することを特徴とする。
【０００５】
本発明では、複数の画像のうち、表示優先順位が高く設定されている選択画像のみを画面上に表示するようにしてもよい。
複数の画像を、表示優先順位が高い順に画面上に表示するようにしてもよい。
選択画像に対する処理は、選択画像のデータをプリンタへ出力して印刷を行う印刷処理、選択画像のデータを外部装置に出力するデータ出力処理、および選択画像のデータに対する画像処理の少なくともいずれか１つであることが好ましい。
選択画像に対する処理が印刷処理である場合には、使用者によって選択された印刷対象の画像に対して識別子を設定するようにしてもよい。
選択画像に対する処理が印刷処理である場合には、印刷処理が完了した画像に対して識別子を設定するようにしてもよい。
印刷処理が完了した画像に対して、印刷処理が完了した日時を加味した識別子を設定するようにしてもよい。
画像に対して設定された識別子のデータを不揮発性の記憶媒体に記録し、不揮発性の記憶媒体に記録されている識別子のデータを、不揮発性の記憶媒体から読み出すようにしてもよい。
【発明の効果】
【０００６】
本発明によれば、処理パラメータの設定を容易に行うことができる。
【発明を実施するための最良の形態】
【０００７】
図１は、本実施の形態における画像表示装置の一実施の形態の構成を示すブロック図である。画像表示装置１００は、例えばパソコン（パーソナルコンピュータ）であって、操作部材１０１と、入力ＩＦ１０２と、制御装置１０３と、ＨＤＤ（ハードディスクドライブ）１０４と、モニタ１０５と、出力ＩＦ１０６とを備えている。
【０００８】
操作部材１０１は、使用者によって操作される種々の装置、例えばキーボードやマウスを含む。入力ＩＦ１０２は、データ入力元の外部機器、例えばデジタルカメラを接続するためのインターフェースである。この入力ＩＦ１０２としては、デジタルカメラと有線接続を行うためのＵＳＢインターフェースや、無線接続を行うための無線ＬＡＮモジュールなどが使用される。本実施の形態では、この入力ＩＦ１０２を介してデジタルカメラから画像ファイルが取り込まれる。
【０００９】
ＨＤＤ１０４は、通信装置１０２を介してデジタルカメラから取り込んだ画像ファイルや、制御装置１０３で実行される種々のプログラム等を記録するための記憶媒体である。モニタ１０５は、例えば液晶モニタであって、制御装置１０３から出力される種々の情報が表示される。
【００１０】
出力ＩＦ１０６は、データの出力先の外部機器、例えばプリンタを接続するためのインターフェースである。この出力ＩＦ１０６としては、プリンタと有線接続を行うためのＵＳＢインターフェースや、無線接続を行うための無線ＬＡＮモジュールなどが使用される。本実施の形態では、この出力ＩＦ１０６を介してプリンタに画像データが出力されることにより、画像の印刷が行われる。
【００１１】
本実施の形態では、入力ＩＦ１０２を介して取り込まれてＨＤＤ１０４に記録される画像ファイルは、例えば、Ｅｘｉｆ（Ｅｘｃｈａｎｇｅａｂｌｅ  Ｉｍａｇｅ  Ｆｉｌｅ  Ｆｏｒｍａｔ  ｆｏｒ  Ｄｉｇｉｔａｌ  Ｓｔｉｌｌ  Ｃａｍｅｒａ）等の所定の形式の画像ファイルである。このＥｘｉｆ形式の画像ファイルは、所定の画像形式に圧縮された画像データ、例えばＪｐｅｇ形式の画像データを本画像として含み、さらに本画像を縮小して生成されたサムネイル画像の画像データ（サムネイル画像データ）や画像の撮影日時データなどを記録した付加情報部を含んでいる。なお、ＨＤＤ１０４内には、あらかじめ画像ファイル記録用の少なくとも１つのフォルダが作成されており、制御装置１０３が、あらかじめ設定されている記録先のフォルダに画像ファイルを記録する。
【００１２】
制御装置１０３は、ＣＰＵ、メモリ、およびその他の周辺回路によって構成され、表示制御部１０３ａと、処理実行部１０３ｂとを機能的に備えている。なお、制御装置１０３を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、プログラム実行時に読み込まれる種々のパラメータなどが記録されている。
【００１３】
制御装置１０３は、使用者によって操作部材１０１が操作されることにより、画像表示用アプリケーションの起動が指示されると、ＨＤＤ１０４に記録されている画像表示用アプリケーションのプログラムを読み込んで実行することによって、以下の処理を行う。
【００１４】
表示制御部１０３ａは、ＨＤＤ１０４内の所定のフォルダから複数の画像ファイルを読み込み、それぞれの付加情報部に記録されているサムネイル画像データを取得する。なお、本実施の形態では、表示制御部１０３ａは、あらかじめ設定されているデフォルトフォルダ内から画像ファイルを読み込み。そして、表示制御部１０３ａは、画像ファイル内から取得したサムネイル画像の一覧を図２に示す印刷画面上に配置してモニタ１０５に出力する。使用者は、この印刷画面上で印刷対象の画像の選択、印刷枚数、および印刷時の用紙サイズなどの印刷の実行に必要な処理パラメータの設定を行なう。
【００１５】
具体的には、表示制御部１０３ａは、印刷画面上にサムネイル画像Ａ〜Ｆの６枚のサムネイル画像を一覧表示を表示する。そして、表示制御部１０３ａは、一覧表示されたサムネイル画像Ａ〜Ｆのそれぞれに対応付けて、印刷枚数を設定するための印刷枚数選択項目２ａと用紙サイズを設定するための用紙サイズ選択項目２ｂとを表示する。これらの選択項目２ａおよび２ｂは、それぞれプルダウン形式の選択メニューとなっており、使用者は、操作部材１０１、例えばマウスを用いて印刷枚数選択項目２ａを操作することによって、対応する画像の印刷枚数を選択することができる。また、使用者は、操作部材１０１、例えばマウスを用いて用紙サイズ選択項目２ｂを操作することによって、対応する画像を印刷する際に用いる用紙サイズを選択することができる。
【００１６】
なお、図２に示す例では、表示制御部１０３ａは、各印刷枚数選択項目２ａには、初期値として「０枚」を表示し、各用紙サイズ選択項目２ｂには、初期値として用紙サイズをＬ版とする「Ｌ」を表示する。また、表示制御部１０３ａは、過去に印刷が行われた画像に対応するサムネイル画像Ｅには、印刷済みアイコン２ｃを重畳して表示する。具体的には、後述するように、処理実行部１０３ｂは、印刷が完了した画像ファイルに対して、識別子としての印刷完了フラグを設定するようにし、表示制御部１０３ａは、印刷完了フラグが設定されている画像ファイルのサムネイル画像に対しては、印刷済みアイコン２ｃを表示する。これによって、使用者は、既に印刷が完了している画像を把握することができる。なお、画像ファイルに対するフラグの設定方法については後述する。
【００１７】
さらに、表示制御部１０３ａは、印刷画面の下部にフォルダ選択ボタン２ｄ、表示モード変更ボタン２ｅ、印刷指定ボタン２ｆ、印刷解除ボタン２ｇ、ソートボタン２ｈ、印刷ボタン２ｉ、および終了ボタン２ｊを表示する。使用者は、マウスを操作してフォルダ選択ボタン２ｄを押下することにより、印刷対象画像が記録されているフォルダを選択することができる。処理実行部１０３ｂは、使用者によってフォルダ選択ボタン２ｄが押下されると、フォルダ選択用のダイアログをモニタ１０５上に表示し、使用者によるフォルダの選択を受け付ける。表示制御部１０３ａは、使用者によって選択されたフォルダ内に記録されている画像ファイルからサムネイル画像データを読み込んで、印刷画面上にサムネイル画像を一覧表示する。
【００１８】
使用者は、マウスで表示モード変更ボタン２ｅを操作することによって、印刷画面上に表示するサムネイル画像の抽出条件を設定することができる。表示モード変更ボタン２ｅは、プルダウン形式のメニューになっており、使用者は、マウスで表示モード変更ボタン２ｅを操作することにより、サムネイル画像の表示モードを「全画像表示」、「印刷予定画像」、および「印刷済み画像」のいずれかに設定することができる。
【００１９】
図２に示す例では、サムネイル画像の表示モードは「全画像表示」に設定されており、この場合には、表示制御部１０３ａは、印刷画面上にフォルダ選択ボタン２ｄが操作されて使用者によって選択されたフォルダ内に記録されている全画像ファイルのサムネイル画像を表示する。
【００２０】
これに対して、使用者によってマウスで表示モード変更ボタン２ｅが操作されることにより、サムネイル画像の表示モードが「印刷予定画像」に変更された場合には、表示制御部１０３ａは、後述するように、使用者によって印刷対象の画像として選択された画像のサムネイル画像のみを印刷画面上に一覧表示する。なお、サムネイル画像の表示モードが「印刷予定画像」に変更された場合の印刷画面の表示例は、図８により後述する。
【００２１】
また、使用者によってマウスで表示モード変更ボタン２ｅが操作されることにより、サムネイル画像の表示モードが「印刷済み画像」に変更された場合には、表示制御部１０３ａは、印刷が完了した画像のサムネイル画像のみを印刷画面上に一覧表示する。なお、サムネイル画像の表示モードが「印刷済み画像」に変更された場合の印刷画面の表示例は、図１１により後述する。
【００２２】
使用者は、マウスを操作して終了ボタン２ｊを押下することにより、画像表示用アプリケーションの終了を指示することができる。処理実行部１０３ｂは、使用者によって終了ボタン２ｊが押下された場合には、モニタ１０５への印刷画面の表示を終了する。すなわち、処理実行部１０３ｂは、印刷画面を閉じる。なお、使用者によって各ボタン２ｆ〜２ｉのいずれかが押下された場合の処理実行部１０３ｂによる処理については、後述する。
【００２３】
使用者は、図２に示す印刷画面上で、マウス操作を操作してサムネイル画像をクリックすることによって、印刷対象の画像を選択することができる。表示制御部１０３ａは、使用者によってクリックされたサムネイル画像の周囲に枠を付して、そのサムネイル画像に対応する画像が印刷対象として選択されたことを明示する。例えば、使用者によってサムネイル画像Ａ、Ｂ、およびＤがクリックされた場合には、表示制御部１０３ａは、図３に示すようにサムネイル画像Ａ、Ｂ、およびＤの周囲に枠３ａを表示する。
【００２４】
使用者は、少なくとも１つのサムネイル画像を選択した状態で、印刷指定ボタン２ｆを押下することによって、選択したサムネイル画像に対応する画像を印刷対象として設定することができる。処理実行部１０３ｂは、使用者によって印刷指定ボタン２ｆが押下された場合には、そのときに選択されているサムネイル画像に対応する画像ファイルに対して、識別子としての印刷予定フラグを設定する。
【００２５】
本実施の形態では、画像ファイルのファイル名と、その画像ファイルに設定されたフラグとを関連付けて記録するためのフラグデータファイルがＨＤＤ１０４あるいはフラッシュメモリに記録されている。処理実行部１０３ｂは、このフラグデータファイルをＳＤＲＡＭ上に読み込んで、当該フラグデータファイル内に、印刷指定ボタン２ｆが押下された時点で選択されていたサムネイル画像に対応する画像ファイルのファイル名と、印刷予定フラグとを関連付けて記録する。また、上述した印刷完了フラグも、ＳＤＲＡＭ上に読み込んだフラグデータファイル内に印刷が完了した画像ファイルのファイル名に関連付けて記録される。
【００２６】
なお、画像ファイルへの印刷予定フラグおよび印刷完了フラグの設定は、画像表示用アプリケーションの実行中は、全てＳＤＲＡＭ上に読み込んだフラグデータファイルに対して行われる。そして、処理実行部１０３ｂは、画像表示用アプリケーションを終了するときに、ＳＤＲＡＭ上のフラグデータファイルでＨＤＤ１０４あるいはフラッシュメモリに記録されているフラグデータを上書きすることによって、フラッシュメモリに記録されているフラグデータを更新する。なお、フラグデータは、別ファイルとしてのフラグデータファイル内に記録せずに、各画像ファイル内の付加情報部に記録するようにしてもよい。
【００２７】
表示制御部１０３ａは、図４に示すように、印刷指定ボタン２ｆが押下された時点で選択されていたサムネイル画像上に、印刷指定アイコン４ａを重畳して表示する。また、表示制御部１０３ａは、選択されているサムネイル画像に対応する印刷枚数選択項目２ａの表示を「１枚」に変更する。例えば、サムネイル画像Ａ、Ｂ、およびＤのそれぞれに印刷指定アイコン４ａを重畳して表示し、それぞれに対応する印刷枚数選択項目２ａの表示を「１枚」に変更する。このように、サムネイル画像上に印刷指定アイコン４ａを表示することによって、使用者は、印刷画面上で印刷対象画像の選択状況を確認することができる。また、印刷対象として設定された画像の印刷枚数を自動的に「１枚」に変更することによって、使用者が印刷枚数を設定する手間を省くことができる。
【００２８】
また、使用者は、マウスを操作して、印刷枚数選択項目２ａを「０枚」から１枚以上に変更することによっても印刷対象の画像を選択することができる。例えば、図５に示すように、使用者は、サムネイル画像Ｃの印刷枚数選択項目２ａを「１枚」に変更することによって、サムネイル画像Ｃに対応する画像を印刷対象として設定することができる。この場合、処理実行部１０３ｂは、サムネイル画像Ｃに対応する画像ファイルに対して印刷予定フラグを設定し、表示制御部１０３ａは、サムネイル画像Ｃ上に、印刷指定アイコン４ａを重畳して表示する。
【００２９】
使用者は、印刷対象の画像を選択した後、各画像の印刷枚数や用紙サイズを変更することができる。上述したように、各画像の印刷時の用紙サイズには「Ｌ」が初期値として設定されており、また、印刷対象に設定された時点で、印刷枚数は「１枚」に設定されている。使用者は、マウスを操作して印刷枚数選択項目２ａと用紙サイズ選択項目２ｂの設定を変更することで、印刷枚数と用紙サイズを変更することができる。例えば、図５に示すように、使用者は、サムネイル画像Ｃに対応する用紙サイズ選択項目２ｂの設定を「Ａ４」に変更することで、サムネイル画像Ｃに対応する画像の印刷時の用紙サイズをＡ４サイズに変更することができる。
【００３０】
また、使用者は、印刷対象として選択した画像の選択を解除することもできる。具体的には、使用者は、印刷画面上で選択したサムネイル画像、すなわち印刷指定アイコン４ａが表示されているサムネイル画像をマウスでクリックして選択した後、印刷解除ボタン２ｇを押下することにより、その画像を印刷対象から除外できる。例えば、図６に示すように、使用者によって印刷対象画像として設定されているサムネイル画像Ｂが選択されると、表示制御部１０３ａは、選択されたサムネイル画像Ｂの周囲に枠６ａを表示する。
【００３１】
そして、処理実行部１０３ｂは、使用者によって印刷解除ボタン２ｇが押下されたことを検出した場合には、サムネイル画像Ｂに対応する画像を印刷対象から除外する。すなわち、処理実行部１０３ｂは、フラグデータファイル内から削除対象画像の画像ファイルと印刷予定フラグとが関連付けられているレコードを削除することによって、削除対象の画像ファイルに設定されている印刷予定フラグを削除する。また、表示制御部１０３ａは、図７に示すように、印刷対象から除外された除外された画像のサムネイル画像Ｂ上から、印刷指定アイコン４ａを消去する。なお、使用者は、印刷枚数選択項目２ａをマウスで操作して、印刷枚数を０枚に変更することによっても印刷対象として選択した画像の選択を解除することができる。
【００３２】
使用者は、上述したように、表示モード変更ボタン２ｅをマウスにより操作して、サムネイル画像の表示モードを「印刷予定画像」に変更することによって、印刷対象として選択した画像のサムネイル画像のみを抽出して印刷画面上に表示させることができる。具体的には、表示制御部１０３ａは、使用者によってマウスで表示モード変更ボタン２ｅが操作されることにより、サムネイル画像の表示モードが「印刷予定画像」に変更された場合には、ＨＤＤ１０４あるいはＳＤＲＡＭに記録されているフラグデータファイルを参照して、印刷予定フラグが設定されている画像ファイルを特定し、特定した画像ファイルのサムネイル画像のみを抽出して印刷画面上に一覧表示する。
【００３３】
例えば、表示制御部１０３ａは、サムネイル画像の表示モードが「印刷予定画像」に変更された場合には、図８に示すように、印刷対象の画像として選択されているサムネイル画像Ａ、Ｃ、およびＤのみを抽出して表示する。その後、使用者によって、再度、表示モード変更ボタン２ｅが操作され、サムネイル画像の表示モードが「全画像表示」に戻された場合には、表示制御部１０３ａは、印刷画面上にフォルダ内に記録されている全画像ファイルのサムネイル画像を一覧表示する。
【００３４】
また、使用者は、マウスを操作してソートボタン２ｈを押下することによって、印刷画面上に表示するサムネイル一覧の並べ替えを指示することができる。本実施の形態では、使用者によってソートボタン２ｈが押下された場合には、表示制御部１０３ａは、サムネイル画像の表示優先順位を、印刷対象画像、印刷完了画像、その他の画像の順に低くなるように設定し、表示優先順位が高い画像のサムネイル画像から順番に並ぶように変更する。すなわち、表示制御部１０３ａは、ＨＤＤ１０４あるいはＳＤＲＡＭに記録されているフラグデータファイルを参照して、印刷予定フラグが設定されている画像ファイルのサムネイル画像を一覧の先頭から順番に配置し、次に、印刷完了フラグが設定されている画像ファイルのサムネイル画像を順番に配置していく。そして、最後に、いずれのフラグも設定されていない画像ファイルのサムネイル画像を順番に配置していく。
【００３５】
これによって、図９に示すように、印刷対象画像のサムネイル画像Ａ、Ｃ、Ｄ、印刷完了画像のサムネイル画像Ｅ、フラグが設定されていないサムネイル画像Ｂ、Ｆの順にサムネイル一覧が表示される。また、このとき、表示制御部１０３ａは、図９に示すように、ソートボタン２ｈの代わりにソート解除ボタン９ａを表示し、使用者が当該ソート解除ボタン９ａをマウス操作によって押下することにより、サムネイル画像のソートを解除できるようにする。
【００３６】
使用者は、少なくとも１枚の画像を印刷対象の画像として設定した後、印刷ボタン２ｉを押下することによって、印刷対象の画像の印刷を指示することができる。処理実行部１０３ｂは、使用者によって印刷ボタン２ｉが押下された場合には、ＨＤＤ１０４あるいはＳＤＲＡＭに記録されているフラグデータファイルを参照して、印刷予定フラグが設定されている画像ファイルを特定する。そして、処理実行部１０３ｂは、特定した画像ファイルの画像データを印刷用画像データに変換した後に出力ＩＦ１０６を介してプリンタへ出力する。
【００３７】
処理実行部１０３ｂは、印刷対象画像の印刷が完了した場合には、ＨＤＤ１０４あるいはＳＤＲＡＭに記録されているフラグデータファイルにアクセスして、印刷が完了した画像ファイルに関連付けられている印刷予定フラグを、印刷完了フラグに変更する。これによって、印刷が完了した画像ファイルに対して、印刷完了フラグを設定することができる。
【００３８】
なお、本実施の形態では、処理実行部１０３ｂは、印刷完了フラグとして、画像の印刷が完了した日時を加味したフラグを設定するようにする。例えば、２００７年７月４日１２：００に印刷が完了した画像に対しては、「２００７０７０４１２００」のように、印刷完了日時を数字で表したフラグを設定する。なお、この印刷完了日時を加味した印刷完了フラグは、後述する履歴表示時に、印刷完了フラグに基づいて各画像の印刷完了日時を特定するために用いる。
【００３９】
また、表示制御部１０３ａは、処理実行部１０３ｂによって更新されたフラグデータファイルを参照して、印刷が完了した画像ファイルのサムネイル画像上に表示するアイコンを、印刷指定アイコン４ａから印刷済みアイコン２ｃに変更する。また、表示制御部１０３ａは、印刷が完了した画像ファイルのサムネイル画像に対応する印刷枚数選択項目２ａの表示を「０枚」に変更する。例えば、表示制御部１０３ａは、図１０に示すように、サムネイル画像Ａ、Ｃ、およびＤ上のアイコンを印刷済みアイコン２ｃに変更し、これらのサムネイル画像に対応する印刷枚数選択項目２ａの表示を「０枚」に変更する。
【００４０】
使用者は、上述したように、表示モード変更ボタン２ｅをマウスにより操作して、サムネイル画像の表示モードを「印刷済み画像」に変更することによって、印刷が完了した画像のサムネイル画像のみを抽出して印刷画面上に表示させることができる。具体的には、表示制御部１０３ａは、使用者によってマウスで表示モード変更ボタン２ｅが操作されることにより、サムネイル画像の表示モードが「印刷済み画像」に変更された場合には、ＨＤＤ１０４あるいはＳＤＲＡＭに記録されているフラグデータファイルを参照して、印刷完了フラグが設定されている画像ファイルを特定し、特定した画像ファイルのサムネイル画像のみを抽出して印刷画面上に一覧表示する。
【００４１】
例えば、表示制御部１０３ａは、サムネイル画像の表示モードが「印刷済み画像」に変更された場合には、図１１に示すように、印刷が完了した画像のサムネイル画像Ａ、Ｃ、Ｄ、およびＥのみを抽出して表示する。その後、使用者によって、再度、表示モード変更ボタン２ｅが操作され、サムネイル画像の表示モードが「全画像表示」に戻された場合には、表示制御部１０３ａは、印刷画面上にフォルダ内に記録されている全画像ファイルのサムネイル画像を一覧表示する。
【００４２】
また、本実施の形態では、使用者は、マウスを操作してサムネイル画像上に表示されている印刷済みアイコン２ｃをクリックすることによって、そのサムネイル画像に対応する画像の過去の印刷履歴を表示させることができる。表示制御部１０３ａは、使用者によって印刷済みアイコン２ｃがクリックされたことを検出した場合には、ＨＤＤ１０４あるいはＳＤＲＡＭに記録されているフラグデータファイルの中から、印刷済みアイコン２ｃがクリックされたサムネイル画像に対応する画像ファイルに設定されている印刷完了フラグを読み込む。
【００４３】
印刷完了フラグは、上述したように、印刷完了日時を加味したものとなっているため、表示制御部１０３ａは、印刷完了フラグに基づいて、その画像の過去の印刷完了日時を特定する。なお、その画像が過去に複数回印刷されている場合には、フラグデータファイル内にその画像ファイルと印刷完了フラグとを対応付けた複数のレコードが含まれているので、表示制御部１０３ａは、過去の全ての印刷完了日時を特定する。
【００４４】
そして、表示制御部１０３ａは、モニタ１０５に図１２（ａ）に示す履歴画面を表示する。この履歴画面は、使用者によって印刷済みアイコン２ｃがクリックされたサムネイル画像に対応する画像の印刷履歴を一覧表示したものである。なお、図１２（ａ）に示す例では、印刷履歴として、印刷完了フラグに基づいて特定した印刷完了日時と、「印刷完了」の文字とを表示しているが、印刷履歴の表示例はこれに限定されない。例えば、印刷完了フラグを印刷完了日時だけでなく、印刷時の印刷枚数、用紙サイズ、出力先のプリンタ名などを加味して設定するようにし、印刷履歴としてこれらの情報を表示するようにしてもよい。
【００４５】
使用者は、この履歴画面上に表示された一覧の中から、いずれかの行をマウスでクリックして選択した後、「選択行の日で検索」ボタン１２ｂを押下することによって、選択した行の印刷完了日時に基づいて特定される印刷日と同日に印刷された画像ファイルのファイル名一覧を表示させることができる。例えば、使用者が一覧の中から行２ａをマウスでクリックし、「選択行の日で検索」ボタン１２ｂを押下した場合には、表示制御部１０３ｂは、図１２（ｂ）に示す画面をモニタ１０５に表示して、行２ａによって特定される印刷日、すなわち２００７年７月５日に印刷が完了した画像ファイルのファイル名の一覧を表示する。
【００４６】
また、使用者は、図１２（ａ）に示した画面は、マウスを操作して閉じるボタン１２ｃを押下することによって閉じることができ、図１２（ｂ）に示した画面は、閉じるボタン１２ｄを押下することによって閉じることができる。
【００４７】
図１３は、本実施の形態における画像表示装置１００の処理を示すフローチャートである。図１３に示す処理は、使用者によって操作部材１０１が操作されることにより、画像表示用アプリケーションの起動が指示されると起動するプログラムとして、制御装置１０３によって実行される。図１３に示すフローチャートのプログラムは、ＨＤＤ１０４に記録されている。
【００４８】
ステップＳ１０において、表示制御部１０３ａは、画像ファイルの読み込み先フォルダとしてあらかじめ設定されているＨＤＤ１０４内のデフォルトフォルダから、全画像ファイルをＳＤＲＡＭに読み込む。また、表示制御部１０３ａは、ＨＤＤ１０４あるいはフラッシュメモリに記録されているフラグデータファイルをＳＤＲＡＭに読み込む。その後、ステップＳ２０へ進み、表示制御部１０３ａは、デフォルトフォルダ内から読み込んだ画像ファイル内に記録されているサムネイル画像データを取得して、サムネイル画像を印刷画面上に一覧表示する。その後、ステップＳ３０へ進む。
【００４９】
ステップＳ３０では、表示制御部１０３ａは、使用者によるマウス操作によってフォルダ選択ボタン２ｄが押下され、異なるフォルダが画像ファイルの読み込み先として選択されたか否かを判断する。否定判断した場合には、後述するステップＳ６０へ進む。これに対して、肯定判断した場合には、ステップＳ４０へ進む。ステップＳ４０では、表示制御部１０３ａは、使用者によって選択されたフォルダに記録されている全画像ファイルを読み込んで、ステップＳ５０へ進む。ステップＳ５０では、表示制御部１０３ａは、使用者によって選択されたフォルダ内から読み込んだ画像ファイルに記録されているサムネイル画像データを取得して、サムネイル画像を印刷画面上に一覧表示する。その後、ステップＳ６０へ進む。
【００５０】
ステップＳ６０では、表示制御部１０３ａは、使用者によるマウス操作によって、表示モード変更ボタン２ｅが操作され、サムネイル画像の表示モードが変更されたか否かを判断する。否定判断した場合には、ステップＳ７０へ進む。ステップＳ７０では、現在のサムネイル画像の表示モードが「全画像表示」または「印刷済み画像」のいずれかであるか否かを判断する。否定判断した場合には、後述するステップＳ１６０へ進む。これに対して、肯定判断した場合には、ステップＳ８０へ進む。
【００５１】
ステップＳ８０では、表示制御部１０３ａは、使用者によってマウスでいずれかのサムネイル画像上に表示されている印刷済みアイコン２ｃがクリックされたか否かを判断する。否定判断した場合には、後述するステップＳ１６０へ進む。これに対して、肯定判断した場合には、ステップＳ９０へ進み、表示制御部１０３ａは、図１２（ａ）に示した履歴画面を表示して、使用者によって印刷済みアイコン２ｃがクリックされたサムネイル画像に対応する画像の印刷履歴を一覧表示する。その後、ステップＳ１００へ進む。
【００５２】
ステップＳ１００では、表示制御部１０３ａは、使用者によってマウスが操作され、履歴画面上の閉じるボタン１２ｃが押下されたか否かを判断する。否定判断した場合には、ステップＳ１２０へ進む。これに対して、肯定判断した場合には、ステップＳ１１０へ進み、表示制御部１０３ａは、モニタ１０５への履歴画面の表示を終了して印刷画面に戻った後、ステップＳ１６０へ進む。
【００５３】
ステップＳ１２０では、表示制御部１０３ｂは、使用者が履歴画面上でいずれかの行をマウスでクリックして選択した後、「選択行の日で検索」ボタン１２ｂを押下したか否かを判断する。否定判断した場合には、ステップＳ１００へ戻る。これに対して、肯定判断した場合には、ステップＳ１３０へ進み、ステップＳ１３０では、表示制御部１０３ａは、モニタ１０５への履歴画面の表示を終了して、ステップＳ１４０へ進む。
【００５４】
ステップＳ１４０では、図１２（ｂ）に示した画面をモニタ１０５に表示して、履歴画面上で使用者によって選択された行に基づいて特定される印刷日と同日に印刷が完了した画像ファイル（特定日印刷済み画像）のファイル名の一覧を表示する。その後、ステップＳ１４５へ進む。ステップＳ１４５では、表示制御部１０３ａは、使用者によってマウスが操作され、特定日印刷済み画像のファイル名一覧画面上の閉じるボタン１２ｄが押下されたか否かを判断する。Ｓ１４５において肯定判断した場合には、ステップＳ１５０へ進む。一方、ステップＳ１４５において否定判断した場合には、ステップＳ１４５の判断を繰り返し行う。ステップＳ１５０において、表示制御部１０３ａは、表示モード変更ボタン２ｅへの表示モードの表示を「印刷済み画像」に変更して、ステップＳ１６０へ進む。
【００５５】
ステップＳ１６０では、処理実行部１０３ｂは、使用者によってマウスが操作され、印刷指定ボタン２ｆが押下されたか否かを判断する。否定判断した場合には、ステップＳ１８０へ進む。これに対して、肯定判断した場合には、ステップＳ１７０へ進み、処理実行部１０３ｂは、印刷指定ボタン２ｆが押下された時点で選択されていたサムネイル画像に対応する画像ファイルと印刷予定フラグとを関連付けてＳＤＲＡＭに記録されているフラグデータファイルを書き換えることによって、当該画像ファイルに対して印刷予定フラグを設定する。また、表示制御部１０３ａは、印刷指定ボタン２ｆが押下された時点で選択されていたサムネイル画像上に、印刷指定アイコン４ａを重畳して表示する。その後、ステップＳ１８０へ進む。
【００５６】
ステップＳ１８０では、処理実行部１０３ｂは、使用者によってマウスが操作され、印刷解除ボタン２ｇが押下されたか否かを判断する。否定判断した場合には、ステップＳ２００へ進む。これに対して、肯定判断した場合には、ステップＳ１９０へ進み、処理実行部１０３ｂは、ＳＤＲＡＭに記録されているフラグデータファイル内から、印刷解除ボタン２ｇが押下された時点で選択されていたサムネイル画像に対応する画像ファイルと印刷予定フラグとが関連付けられているレコードを削除することによって、削除対象の画像ファイルに設定されている印刷予定フラグを削除する。また、表示制御部１０３ａは、印刷解除ボタン２ｇが押下された時点で選択されていたサムネイル画像上に表示されている印刷指定アイコン４ａを消去する。その後、ステップＳ２００へ進む。
【００５７】
ステップＳ２００では、表示制御部１０３ａは、使用者によってマウスが操作され、ソートボタン２ｈが押下されたか否かを判断する。否定判断した場合には、ステップＳ２２０へ進む。これに対して、肯定判断した場合には、ステップＳ２１０へ進む。ステップＳ２１０では、表示制御部１０３ａは、ＳＤＲＡＭに記録されているフラグデータファイルを参照して、印刷予定フラグが設定されている画像ファイルのサムネイル画像、印刷完了フラグが設定されている画像ファイルのサムネイル画像、いずれのフラグも設定されていない画像ファイルのサムネイル画像の順に並ぶように印刷画面上のサムネイル画像の並び順を変更する。その後、ステップＳ２２０へ進む。
【００５８】
ステップＳ２２０では、表示制御部１０３ａは、使用者によってマウスが操作され、ソート解除ボタン９ａが押下されたか否かを判断する。否定判断した場合には、ステップＳ２４０へ進む。これに対して、肯定判断した場合には、ステップＳ２３０へ進む。ステップＳ２３０では、表示制御部１０３ａは、サムネイル画像の表示順を、ステップＳ２１０で変更する前の並び順に戻して、ステップＳ２４０へ進む。
【００５９】
ステップＳ２４０では、処理実行部１０３ｂは、使用者によってマウスが操作され、印刷ボタン２ｉが押下されたか否かを判断する。否定判断した場合には、ステップＳ２７０へ進む。これに対して、肯定判断した場合には、ステップＳ２５０へ進む。ステップＳ２５０では、処理実行部１０３ｂは、ＳＤＲＡＭに記録されているフラグデータファイルを参照して、印刷予定フラグが設定されている画像ファイルを特定する。そして、処理実行部１０３ｂは、特定した画像ファイルの画像データを印刷用画像データに変換した後に出力ＩＦ１０６を介してプリンタへ出力することによって、画像の印刷を行なう。
【００６０】
その後、ステップＳ２６０へ進み、処理実行部１０３ｂは、ＳＤＲＡＭに記録されているフラグデータファイルにアクセスして、印刷が完了した画像ファイルに関連付けられている印刷予定フラグを、印刷完了フラグに変更する。これによって、印刷が完了した画像ファイルに対して、印刷完了フラグを設定することができる。また、表示制御部１０３ａは、処理実行部１０３ｂによって更新されたフラグデータファイルを参照して、印刷が完了した画像ファイルのサムネイル画像上に表示するアイコンを、印刷指定アイコン４ａから印刷済みアイコン２ｃに変更する。その後、ステップＳ２７０へ進む。
【００６１】
ステップＳ２７０では、表示制御部１０３ａは、使用者によってマウスが操作されて終了ボタン２ｊが押下されることによって、画像表示用アプリケーションの終了が指示されたか否かを判断する。否定判断した場合には、ステップＳ３０へ戻って処理を繰り返す。これに対して、肯定判断した場合には、ステップＳ２８０へ進む。ステップＳ２８０では、処理実行部１０３ｂは、ＳＤＲＡＭ上に記録されているフラグデータファイルでＨＤＤ１０４あるいはフラッシュメモリに記録されているフラグデータを更新して、処理を終了する。
【００６２】
一方、ステップＳ６０で肯定判断した場合には、ステップＳ２９０へ進む。ステップＳ２９０では、表示制御部１０３ａは、使用者によって指定された表示モードが「全画像表示」、「印刷予定画像」、および「印刷済み画像」のいずれであるかを判断する。使用者によって指定された表示モードが「印刷済み画像」であると判断した場合には、ステップＳ３００へ進み、表示制御部１０３ａは、ＳＤＲＡＭに記録されているフラグデータファイルを参照して、印刷完了フラグが設定されている画像ファイルを特定し、特定した画像ファイルのサムネイル画像のみを抽出して一覧表示する。その後、上述したステップＳ１６０へ進む。
【００６３】
これに対して、使用者によって指定された表示モードが「印刷予定画像」であると判断した場合には、ステップＳ３１０へ進む。ステップＳ３１０では、表示制御部１０３ａは、ＳＤＲＡＭに記録されているフラグデータファイルを参照して、印刷予定フラグが設定されている画像ファイルを特定し、特定した画像ファイルのサムネイル画像のみを抽出して印刷画面上に一覧表示する。その後、上述したステップＳ１６０へ進む。
【００６４】
また、使用者によって指定された表示モードが「全画像表示」であると判断した場合には、ステップＳ３２０へ進む。ステップＳ３２０では、表示制御部１０３ａは、現在選択されているフォルダ内に記録されている全ての画像ファイルのサムネイル画像を取得して印刷画面上に一覧表示する。その後、上述したステップＳ１６０へ進む。
【００６５】
以上説明した本実施の形態によれば、以下のような作用効果を得ることができる。
（１）処理実行部１０３ａは、複数の画像ファイルの少なくとも１枚の画像に対して印刷予定フラグ、または印刷完了フラグを設定し、表示制御部１０３ａは、使用者によるソート指示に基づいて、フラグが設定されている画像のサムネイル画像の表示優先順位を、フラグが設定されていない画像のサムネイル画像の表示優先順位よりも高く設定し、設定した表示優先順位に基づいて、サムネイル画像を一覧表示した。また、表示制御部１０３ａは、画像の印刷に用いる処理パラメータ、すなわち印刷枚数と用紙サイズの入力を受け付けるための入力用インターフェースとして、印刷枚数選択項目２ａおよび用紙サイズ選択項目２ｂを、各サムネイル画像に対応付けて画面上に表示した。処理実行部１０３ｂは、入力用インターフェースへの処理パラメータの入力を受け付けて、受付けた処理パラメータに基づいて、各サムネイル画像に対応する画像に対して印刷処理を実行するようにした。これによって、使用者は、画面上でサムネイル画像を見ながら印刷用のパラメータを設定できるため、容易にパラメータ設定を行うことができる。
【００６６】
（２）表示制御部１０３ａは、使用者によって表示モード変更ボタン２ｅが操作されて、サムネイル画像の表示モードが「印刷予定画像」または「印刷済み画像」に変更された場合には、表示優先順位が高く設定されている画像、すなわちその表示モードに応じたフラグが設定されている画像ファイルのサムネイル画像のみを画面上に表示するようにした。これによって、使用者は、印刷指示を行った画像のサムネイル画像や印刷が完了した画像のサムネイル画像のみを抽出して確認することができる。
【００６７】
（３）表示制御部１０３ａは、使用者によってソートボタン２ｈが押下された場合には、サムネイル画像を表示優先順位が高い順、すなわち印刷対象画像、印刷完了画像、その他の画像の順に表示するようにした。これによって、使用者が注目している可能性が高い画像のサムネイル画像を優先して表示することができる。
【００６８】
（４）処理実行部１０３ｂは、使用者によって選択された印刷対象の画像に対して印刷予定フラグを設定するようにした。また、印刷処理が完了した画像に対して印刷完了フラグを設定するようにした。これによって、表示制御部１０３ａおよび処理実行部１０３ｂは、使用者によって印刷が指示された画像、および印刷が完了した画像を設定されているフラグによって識別すればよいため、処理を単純化することができる。
【００６９】
（５）処理実行部１０３ｂは、印刷処理が完了した画像に対して、印刷処理が完了した日時を加味した印刷完了フラグを設定するようにした。これによって、表示制御部１０３ａは、画像ファイルに設定されている印刷完了フラグに基づいて印刷完了日時を判定することができ、容易に印刷履歴を表示することができる。
【００７０】
（６）処理実行部１０３ａは、フラグデータファイルを不揮発性の記憶媒体であるＨＤＤ１０４あるいはフラッシュメモリに記録し、ＨＤＤ１０４あるいはフラッシュメモリに記録されているフラグデータファイルを揮発性の記憶媒体であるＳＤＲＡＭに読み出してデータを参照するようにした。これによって、フラグデータファイルを印刷用アプリケーションが終了した後も保持して、次回の起動時に利用することができる。
【００７１】
―変形例―
なお、上述した実施の形態の画像表示装置は、以下のように変形することもできる。
（１）上述した実施の形態では、印刷完了フラグとして、画像の印刷が完了した日時を加味したフラグを設定するようにし、表示制御部１０３ａは、印刷完了フラグに基づいて画像の印刷履歴を表示する例について説明した。しかしながら、印刷完了フラグは、印刷が完了したことを示すデータのみで表し、画像のファイル名と印刷完了日時とを対応付けた印刷履歴データを別ファイル（印刷履歴ファイル）としてＨＤＤ１０４あるいはフラッシュメモリに記録しておくようにしてもよい。この場合、表示制御部１０３ａは、印刷履歴ファイルを参照して画像の印刷履歴を表示する。
【００７２】
（２）上述した実施の形態では、処理実行部１０３ｂは、印刷予定フラグが設定されている画像に関するデータをプリンタへ出力して、画像の印刷を行なう例について説明した。しかしながら、この場合、処理実行部１０３ｂは、プリンタからのエラー信号を受信して、エラー情報を使用者に通知するようにしてもよい。例えば、処理実行部１０３ｂは、プリンタから用紙切れを示すエラー信号を受信した場合や、指定した用紙サイズとは異なる用紙が給紙部にセットされていることを示すエラー信号などを受信した場合には、モニタ１０５にエラーの内容を表示して使用者に通知してもよい。
【００７３】
（３）上述した実施の形態では、制御装置１０３は、画像表示用アプリケーションを起動して、印刷画面上で選択された画像をプリンタへ出力して印刷を行う例について説明した。しかしながら、本発明は、画像表示用アプリケーション以外にも適用可能である。例えば、外部のサーバに画像データを出力する画像転送用アプリケーションや、画像データに対して画像処理を施す画像処理アプリケーションに適用することもできる。
【００７４】
画像転送用アプリケーションに適用する場合には、サムネイル一覧を表示した画面上で使用者による転送対象画像の選択を受け付け、使用者によって選択された画像の画像ファイルに転送予定フラグを設定する。そして制御装置１０３が、使用者による転送予定画像の表示に関する指示を操作部材１０１から受け付けた場合、表示制御部１０３ａは、転送予定画像のサムネイル一覧のみを表示する。ユーザは、サムネイル一覧中の各サムネイル画像近傍に表示されているグラフィックユーザインターフェースを操作部材１０１で操作することにより、所望の画像の転送設定フラグの解除をすることができる。
【００７５】
そして、使用者による転送指示に基づいて、転送予定フラグが設定されている画像ファイルのサーバへの転送を開始し、転送が完了した場合には、画像ファイルに対して転送完了フラグを設定する。また、画像処理アプリケーションに適用する場合には、サムネイル一覧を表示した画面上で使用者による画像処理対象画像の選択を受け付け、使用者によって選択された画像の画像ファイルに画像処理予定フラグを設定する。そして制御装置１０３が、使用者による画像処理予定画像の表示に関する指示を操作部材１０１から受け付けた場合、表示制御部１０３ａは、画像処理予定画像のサムネイル一覧のみを表示する。ユーザは、サムネイル一覧中の各サムネイル画像近傍に表示されているグラフィックユーザインターフェースを操作部材１０１で操作することにより、所望の画像の画像処理パラメータを設定することができる。
【００７６】
そして、使用者による画像処理の実行開始指示に基づいて、画像処理予定フラグが設定されている画像に対して所定の画像処理を施し、画像処理が完了した場合には、画像ファイルに対して画像処理完了フラグを設定する。
【００７７】
（４）上述した実施の形態では、表示制御部１０３ｂは、履歴画面上で使用者によって「選択行の日で検索」ボタン１２ｂが押下されると、図１２（ｂ）に示す画面を表示して、特定の日に印刷が完了した画像ファイルのファイル名一覧を表示する例について説明した。しかしながら、ボタン１２ｂが押下されたときに表示される画面は、図１２（ｂ）に示す画面の表示形態に限定されない。例えば、表示制御部１０３ｂは、図８に示したように、特定の日に印刷が完了した画像のサムネイル画像のみを一覧表示した画面を表示するようにしてもよい。この場合、各サムネイル画像には、特定日に印刷されたことを示す特定日印刷アイコンを重畳して表示するようにしてもよい。また、表示制御部１０３ｂは、図９に示したように、特定の日に印刷が完了した画像のサムネイル画像を一覧の先頭から順番に表示するようにしてもよい。なお、図８または図９のような表示形態で画面を表示する場合には、画面上に印刷枚数選択項目２ａおよび用紙サイズ選択項目２ｂを各サムネイル画像に対応付けて表示するのが好ましい。
【００７８】
なお、上述の実施の形態では、パーソナルコンピュータが図１３に示す処理を実行することにしたがこれに限られない。例えば、ＰＤＡ、デジタルカメラ、画像ストレージ装置等の電子機器が図１３に示す処理を実行することにしてもよい。また、本発明の特徴的な機能を損なわない限り、本発明は、上述した実施の形態における構成に何ら限定されない。
【図面の簡単な説明】
【００７９】
【図１】画像表示装置の一実施の形態の構成を示すブロック図である。
【図２】印刷画面の表示例を示す第１の図である。
【図３】印刷画面の表示例を示す第２の図である。
【図４】印刷画面の表示例を示す第３の図である。
【図５】印刷画面の表示例を示す第４の図である。
【図６】印刷画面の表示例を示す第５の図である。
【図７】印刷画面の表示例を示す第６の図である。
【図８】印刷画面の表示例を示す第７の図である。
【図９】印刷画面の表示例を示す第８の図である。
【図１０】印刷画面の表示例を示す第９の図である。
【図１１】印刷画面の表示例を示す第１０の図である。
【図１２】印刷履歴の表示例を示す図である。
【図１３】画像表示装置１００の処理を示すフローチャートである。
【符号の説明】
【００８０】
１００  画像表示装置、１０１  操作部材、１０２  入力ＩＦ、１０３  制御装置、１０３ａ  表示制御部、１０３ｂ  処理実行部、１０４  ＨＤＤ、１０５  モニタ、１０６  出力ＩＦ
【図１】
0005119857.tif 000002
【図２】
0005119857.tif 000003
【図３】
0005119857.tif 000004
【図４】
0005119857.tif 000005
【図５】
0005119857.tif 000006
【図６】
0005119857.tif 000007
【図７】
0005119857.tif 000008
【図８】
0005119857.tif 000009
【図９】
0005119857.tif 000010
【図１０】
0005119857.tif 000011
【図１１】
0005119857.tif 000012
【図１２】
0005119857.tif 000013
【図１３】
0005119857.tif 000014